(57)【要約】　　　（修正有）【課題】軽量で湿気による反りが発生せず、簡単な作業でしっかりと一体化し、収納家具開口部分をシャープで曲がりやゆがみのないクロス仕上げ状態にできる。【解決手段】システム収納家具の開口側端部と壁用ボードとの境界部位に配置固定される枠材４を平バー状樹脂成形体で構成し、該平バー状樹脂成形体が、システム収納家具の開口外側面と端面に接するＬ状に欠設された固定用面４０と、固定用面と厚さ方向で反対側にあって壁用ボードの端面と当接する受け面４１と、受け面から固定用面に出隅状につながり、かつ表面に多数本の食いつき用リブを有するクロス貼り用面４２，４３を備えている。【選択図】　　図２
0003098642.tif 000002
【実用新案登録請求の範囲】
【請求項１】
システム収納家具の開口側端部と壁用ボードとの境界部位に配置固定される枠材において、該枠材が平バー状樹脂成形体からなり、該平バー状樹脂成形体が、システム収納家具の開口外側面と端面に接するＬ状に欠設された固定用面と、固定用面と厚さ方向で反対側にあって壁用ボードの端面と当接する受け面と、受け面から直角方向に位置し所定距離から直角に伸びて固定用面につながりかつ表面に多数本の食いつき用リブを有する出隅状のクロス貼り用面を備えていることを特徴とするシステム収納家具取り付け枠材。
【請求項２】
システム収納家具の開口側端部と壁用ボードとの境界部位に配置固定される枠材において、該枠材が平バー状樹脂成形体からなり、該バー状樹脂成形体が、システム収納家具の開口外側面と端面に接するＬ状に欠設された固定用面と、固定用面と厚さ方向で反対側にあって壁用ボードの端面とその近傍を受けるＬ状に欠設された取付け面と、取付け面から直角方向に位置し所定距離から直角に伸びて固定用面につながりかつ表面に多数本の食いつき用リブを有する出隅のクロス貼り用面を備えているシステム収納家具取り付け枠材。
【請求項３】
平バー状樹脂成形体が強化発泡樹脂製からなっている請求項１または２に記載のシステム収納家具取り付け枠材。
【考案の詳細な説明】
【０００１】
【考案の属する技術分野】
本考案はシステム収納家具の開口部分に取り付ける枠材に関する。
【０００２】
【従来の技術】
部屋の室内環境をすっきりとさせるために、収納家具を壁内に配置したシステム収納家具が多くなっている。
かかる収納家具はあらかじめボックス状に作られ、それを壁に設けた収納空間に収めるものであるが、収納家具の側板と石膏ボードなどの壁との境界部分の体裁をよくするために枠材が用いられる。
【０００３】
このシステム収納家具取り付け枠材は、一面が側板の外側端部分に固定され、側板の端面から先に延在する面とこれの端から屈曲した面にクロスなどの仕上げシートを貼るようになっているが、従来ではかかる枠材が木材加工品からなっていた。
【０００４】
このため、重く取扱いが不便であるばかりか、シロアリなどの虫食いを避けられないので耐久性に乏しく、しかも湿気により反りが生じるので、側板をしっかりと固定できなくなったり、開口に相当する壁コーナーの全高にわたって直角度がうまく出ず、部分的に曲がり部分が生じた状態でクロス材が張られ、角がきれいに仕上がらず、収納家具開口部分にシャープで曲がりやゆがみがなくきれいな仕上ったクロス貼り状態が得られなくなったりする問題があった。
この結果、システム収納家具の商品価値が下がったり、やり直し作業が必要となり、工費が増し、工期が延びる不都合が生じていた。
【０００５】
【考案が解決しようとする課題】
本考案は前記のような問題点を解消するためになされたもので、その目的とするところは、軽量でかつ湿気による反りが発生せず、簡単な作業でシステム収納家具としっかりと一体化するとともに、収納家具開口部分をシャープで曲がりやゆがみのないクロス仕上げ状態にできるシステム収納家具取り付け枠材を提供することにある。
【０００６】
【課題を解決するための手段】
上記目的を達成するため本考案は、システム収納家具の開口側端部と壁用ボードとの境界部位に配置固定される枠材において、該枠材が平バー状樹脂成形体からなり、該平バー状樹脂成形体が、システム収納家具の開口外側面と端面に接するＬ状に欠設された固定用面と、固定用面と厚さ方向で反対側にあって壁用ボードの端面と当接する受け面と、受け面から直角方向に位置し所定距離から直角に伸びて固定用面につながりかつ表面に多数本の食いつき用リブを有する出隅状のクロス貼り用面を備えていることを特徴としている。
【０００７】
また、本考案は、システム収納家具の開口側端部と壁用ボードとの境界部位に配置固定される枠材において、該枠材が平バー状樹脂成形体からなり、該バー状樹脂成形体が、システム収納家具の開口外側面と端面に接するＬ状に欠設された固定用面と、固定用面と厚さ方向で反対側にあって壁用ボードの端面とその近傍を受けるＬ状に欠設された取付け面と、取付け面から直角方向に位置し所定距離から直角に伸びて固定用面につながりかつ表面に多数本の食いつき用リブを有する出隅のクロス貼り用面を備えていることを特徴としている。
【０００８】
好適には、平バー状樹脂成形体が強化発泡樹脂製からなっている。
【０００９】
【考案の実施の形態】
以下添付図面を参照して本考案の実施例を説明する。
図１ないし図３は本考案によるシステム収納家具取り付け枠材とこれを使用したシステム収納家具施工例を示している。
１はシステム収納家具で、天板１ａと側板１ｂ、１ｂと底板１ｃによってボックス状に構成され、内部に仕切り板１ｄが配されている。側板１ｂには扉体１ｅがヒンジ金具１ｄによって連結されている。
【００１０】
このシステム収納家具１は室内に開口した凹入空間に格納され、この状態で室内壁母体を構成する不燃念又は準不燃の材料からなる壁用ボード２が建て込まれ、壁用ボード２の表面からシステム収納家具１の開口部分にクロス材３が屈曲して貼られる。
壁用ボード２は石膏ボード、シージングボード、断熱ボードなどが用いられる。クロス材３は壁紙を含む概念であり、任意の材質のシートまたはフイルムからなっている。
【００１１】
４は本考案による取り付け枠材であり、図２のように、前記システム収納家具１の開口部分外側から延在するように固定されるとともに、壁用ボード２の端部を受けて出隅状のクロス貼り部分を構成するためのものである。
【００１２】
前記取り付け枠材４は、図３で単体の状態を示すように、長手方向と直角の断面がほぼＬ字状をなした平バー状樹脂成形体からなる。平バー状樹脂成形体の材質は、塩化ビニール、ポリプロピレン、ポリエチレン、ＥＶＡ，ポリカーボネートなど任意であるが、ねじや釘といった固定要素でシステム収納家具１の側板１ｂ、１ｂや天板１ａに固定するので、好ましくは、粘りがあるとともに曲げ弾性にすぐれたもの、たとえばポリスチレンとブタジエン−スチレン共重合体をブレンドした耐衝撃性樹脂などが好適である。
【００１３】
中でも発泡樹脂（強化発泡樹脂）たとえば再生発泡樹脂などが価格や軽量性の面から好適である。かかる再生発泡強化樹脂は、たとえば、曲げ強度８〜１６Ｍｐａ、曲げ弾性率６００〜７５０Ｍｐａ、圧縮強度３〜１１Ｍｐａ，圧縮弾性率２００〜３００Ｍｐａ、釘引き抜き強度：端面１．０〜６．０Ｎ，側面２．０〜８．０Ｎの特性を有しているものが用いられる。
【００１４】
前記取り付け枠材４は、高さ（長さ）が通常２ｍ以上であり、適宜切断して使用する。取り付け枠材４は、長さ方向と直角の断面において、システム収納家具の側板１ｂや天板１ａの開口外側面１００と端面１０１から構成される角部分にぴったりと接するようにＬ状に欠設された固定用面４０を有している。
【００１５】
また、前記固定用面４０と厚さ方向で反対側には、壁用ボード２の端面２０と当接する直線状の受け面４１を有しており、この受け面４１と前記固定用面４０の間には、受け面４１の突端から直角方向に所定距離だけ伸びそこから直角に曲がって固定用面４０の端につながる出隅状のクロス貼り用面４２、４３を備えている。これらクロス貼り用面４２、４３には、多数本の食いつき用リブ４２０、４３０が刻設されている。食いつき用リブ４２０、４３０は、たとえば０．４〜０．７ｍｍの間隔で形成された深さ０．３〜０．４ｍｍ程度のＶ状の溝からなっている。
【００１６】
この実施例では、固定用面４０をシステム収納家具１の側板１ｂ、１ｂや天板１ａに簡単に固定することができるように、受け面４１と固定用面４０を貫通する皿付きの通孔４５が長さ方向で一定の間隔を置いて配設されている。
【００１７】
図４と図５は本考案による取り付け枠材４の第２実施例を示している。
この実施例においては、直線状である受け面４１に代えて、壁用ボード２の端面２０とその近傍の背面２１を位置決めすることができるＬ状（入隅状）の取付け面４４が欠設により形成されている。取付け面４４は、壁用ボード２の厚みと略整合する奥行きＬを有し、これと直角の面がパテ処理のためのテーパー状部４４０を介してクロス貼り用面４２につながっている。
その他の構成は第１実施例と同様であるから、同じ部分に同符号を付し、説明は省略する。
【００１８】
本考案は前述した実施例に限定されるものではなく、受け面４１から固定用面４０を貫通する皿付きの通孔に代えて窪みとしてもよいし、それらを設けなくてもよい。
【００１９】
【実施例の作用】
本考案の取り付け枠材４は、単体の状態におけるシステム収納家具１の側板１ｂ、１ｂと天板１ａの開口側にそれぞれセットされる。取り付け枠材４は切断が容易であるため、長さ調整は簡単である。
そして、固定用面４０を角部分にあてがい、ビス６を受け面４１から側板１ｂあるいは天板１ａにねじ込むことによりシステム収納家具１に固定される。固定用面４０がＬ状になっているので側板１ｂや天板１ａの開口外側面１００と端面１０１から構成される角部分にぴったりと位置決めされ、失敗することがない。取り付け枠材４は粘りがあるとともに曲げ弾性にすぐれた樹脂製であるため、ビス６のねじ込みによって割れたり、抜けが生ずることがない。
【００２０】
こうして開口に取り付け枠材４を張出させたシステム収納家具１を室の凹入空間に格納する。ついで、角状強度部材７に壁用ボード２の背面を当ててビスや釘で固定するボード施工を行い、第１実施例では、システム収納家具に接近した壁用ボード２の端面２０を取り付け枠材４の受け面４１に突き当てる。
壁用ボード２は背面が角状強度部材７に当接して位置決めされているため、壁用ボード２の前面２２は取り付け枠材４のクロス貼り用面４２と面一になる。クロス貼り用面４２の先は直角に屈曲してクロス貼り用面４３になっているので、あとはクロス材３を壁用ボード２の前面２４に貼り付け、そのまま取り付け枠材４のクロス貼り用面４２、４３の形状に沿って曲げ、貼り付けを行なえばよい。
【００２１】
直角精度の高い凸隅角を全高にわたって有している取り付け枠材４が平バー状樹脂成形体からなっているので、クロス貼り用面４２、４３は湿気の影響を受けず、そりやゆがみが生じず、したがって施工された開口のクロス貼りは、全高にわたって直角で曲がり等のないきれいな仕上がりとなる。また、クロス貼りはその下地としての取り付け枠材４が耐衝撃性にすぐれた樹脂であるため、硬い物が衝突してもへこんだりしない。
また、取り付け枠材４は木質繊維を接着材で固めたＭＤＦと違って押し出し方式などによる樹脂成形体からなっているので、ホルムアルデヒトの放散によるシックハウス症候群などを起す懸念もない。
【００２２】
前記クロス貼り用面４２、４３は食いつき用リブ４２０，４３０を有している。このため、クロス材３を貼るに際してパテ類を塗布すると、パテ類は食いつき用リブ４２０，４３０の溝内に充填される。したがってみだりに接着剤が移動したりしないので、クロス材３がしっかりと接合され、しごかれても滑ったりゆがんだりすることがなく、きれいに仕上げることができる。
そして、仕様変更あるいは模様替えのため、もクロス材３を張り替えるときにも、旧クロス材の剥しが容易であり、細かい溝の食いつき用リブ４２０，４３０に充填されたパテ類が残存しているため、新たなクロス材を押し付けることで再びきれいに張ることができる。
【００２３】
第２実施例では、取り付け枠材４がＬ状（入隅状）の取付け面４４を有しているので、壁用ボード２の端面２０を取付け面４４に当接させれば、壁用ボード２の前面２２が取り付け枠材４のクロス貼り用面４２と自動的に面一になる。したがって、角状強度部材７が近傍になくても壁用ボード２を正確に位置決めすることができるとともに、壁用ボード２が前面側から押圧されても、倒れが生じない。
【００２４】
【考案の効果】
以上説明した本考案の請求項１によるときには、軽量でかつ湿気による反りが発生せず、熟練を労さず簡単な作業でシステム収納家具としっかりと一体化できるとともに、収納家具開口部分をシャープに角が出てしかも全高にわたってゆがみや曲がりのないクロス仕上げ状態にすることができるというすぐれた効果が得られる。
【００２５】
請求項２によれば、請求項１の効果に加えて、壁用ボード２の端面２０を当接させれば、壁用ボード２の前面が取り付け枠材４のクロス貼り用面４２と自動的に面一になるので、角状強度部材が近傍になくても壁用ボード２を正確に位置決めすることができるとともに、壁用ボード２が前面側から押圧されたときに、倒れを確実に防止できるというすぐれた効果が得られる。
【００２６】
請求項３によれば、耐衝撃性が優れ、粘りのある割れにくい材質であるため、ビスなどでシステム収納家具と確実強固に一体化でき、また、壁面に続く収納家具開口部分に硬い物が衝突しても、へこんだりしないので、長期にわたって良好な状態を維持できるというすぐれた効果が得られる。
【図面の簡単な説明】
【図１】本考案による枠材を適用したシステム収納家具部分の正面図である。
【図２】（ａ）は図１の一部拡大横断面図、（ｂ）はその一部拡大図である。
【図３】本考案による枠材の第１実施例を示す斜視図である。
【図４】（ａ）（ｂ）は第２実施例を示す横断面図である。
【図５】第２実施例を使用状態で示す横断面図である。
【符号の説明】
１　　システム収納家具
２　　壁用ボード
３　　クロス材
４　　取り付け枠材
４０　固定用面
４１　受け面
４２，４３　クロス貼り用面
４４　取付け面
【図１】
0003098642.tif 000003
【図２】
0003098642.tif 000004
【図３】
0003098642.tif 000005
【図４】
0003098642.tif 000006
【図５】
0003098642.tif 000007